(57)【要約】【課題】従来のような円板状の部分の脱落や剥ぎ取りに伴う不都合を解消する。【解決手段】貼付シート固定用台紙１は一方の表面に貼付シート２の粘着面が剥離可能に貼設される剥離処理層を有するもので、剥離処理層に複数個の貼付シート２を整列して貼設することが可能なように長方矩形状に形成されている。各貼付シート２の貼設領域Ｓに、それぞれの貼設領域Ｓを横切りかつ端縁に達する切込み３ａ，３ｂが形成されている。各切込み３ａ，３ｂは、直線状の部分３０と貼付シート２の貼設領域Ｓの中心Ｃの回りを半周する円弧状の部分３１とを含んでいる。円弧状の部分３１は、直線状の部分３０に沿って折り曲げられたときに切り開かれて起き上がるようになっている。【選択図】図１
2009273624.tif 000002
【特許請求の範囲】
【請求項１】
一方の表面に貼付シートの粘着面が剥離可能に貼設される剥離処理層を有し、前記剥離処理層に複数個の貼付シートを整列して貼設することが可能なように矩形状に形成されて成る貼付シート固定用台紙において、
各貼付シートの貼設領域に、それぞれの貼設領域を横切りかつ端縁に達する切込みが形成されており、各切込みは、直線状の部分と貼付シートの貼設領域の中心の回りを半周する円弧状の部分とを含み、円弧状の部分は、直線状の部分に沿って折り曲げられたときに切り開かれて起き上がるようになっている貼付シート固定用台紙。
【請求項２】
請求項１に記載された貼付シート固定用台紙であって、前記切込みの円弧状の部分と対称をなす円弧状の第２の切込みが、その両端部が前記切込みの近くまで達するように形成されている貼付シート固定用台紙。
【請求項３】
請求項１または２に記載された貼付シート固定用台紙の剥離処理層に、貼付シートの粘着面に粒状体が付設されて成る押圧治療器の貼替え用の貼付シート剥離可能に複数個貼設されて成る貼付シート固定用台紙と貼替え用の貼付シートとの組み合わせ。
【請求項４】
請求項１に記載された貼付シート固定用台紙の剥離処理層に、シート状の基材の一方の表面に粘着面、他方の表面に芳香成分が封入されたマイクロカプセルを含有する放香層を有する芳香貼付シートが剥離可能に複数個貼設されて成る貼付シート固定用台紙と芳香貼付シートとの組み合わせ。
【発明の詳細な説明】
【技術分野】
【０００１】
この発明は、一方の表面に貼付シートの粘着面が剥離可能に貼設される剥離処理層を有する貼付シート固定用台紙と、貼付シート固定用台紙と貼替え用の貼付シートとの組み合わせと、貼付シート固定用台紙と芳香貼付シートとの組み合わせとに関する。
【背景技術】
【０００２】
従来、人体の皮膚表面に貼付される皮膚外用部材として、貼付シートの粘着面に永久磁石粒などの粒状体が付設されて成る押圧治療器がある。この押圧治療器は、粒状体をこり発生部位などの患部に位置決めして貼付シートにより固定することで、粒状体による押圧力を人体に継続して作用させるとともに、粒状体が永久磁石粒の場合は、磁力線を患部に継続して作用させることにより、こりなどの症状を軽快するものである。
この種の押圧治療器は、未使用時に貼付シートの粘着面が露出しないようにするために、治療器固定用台紙の剥離処理層に複数個の押圧治療器を貼設した状態で保管されるようになっている。
【０００３】
図１３および図１４は、複数個の押圧治療器８３が固定された治療器固定用台紙７を示している。この固定用台紙７は、外形が長方矩形状であり、一方の表面に押圧治療器８３の貼付シート８０の粘着面８１が剥離可能に貼設される剥離処理層７０を有している。この固定用台紙７の剥離処理層７０には１０個の押圧治療器８３の貼付シート８０が２列に整列して貼設されている。図示の押圧治療器８３は、ほぼ正方形状の貼付シート８０の粘着面８１の中央に永久磁石粒より成る粒状体８２を付設して成るものである。
【０００４】
図示の治療器固定用台紙７は、各押圧治療器８３の貼付シート８０が貼設される領域の中心位置に、粒状体８２を臨ませる円形の窓孔１０１がそれぞれ開設されている。また、各窓孔１０１と一方の側端縁７１または７２との間には直線状の切込み１００が幅方向にそれぞれ形成されている（例えば、特許文献１参照）。
上記の治療器固定用台紙７から押圧治療器８３を１個取り出すには、治療器固定用台紙７の側端縁７１または７２を摘んで切込み１００に沿って切り離すことで、押圧治療器８３の貼付シート８より治療器固定用台紙７が剥離され、その後、貼付シート８の周辺部を摘んで貼付シート８の全体を治療器固定用台紙７の剥離処理層７０より剥離する。
【０００５】
【特許文献１】実開平６−２３５１８号公報
【０００６】
押圧治療器８３は、粒状体８２を人体の皮膚表面のこり発生部位などの患部に位置決めして貼付シート８０により固定される。治療後に貼付シート８０を皮膚表面より剥がすと、その貼付シート８０は粘着面８１の粘着性能が失われているので、再使用できず、廃棄するより他はないが、粒状体８２の方は繰り返し使用することが可能である。そのために粒状体８２が付設されていない貼替え用の貼付シートが用意されている。
【０００７】
図１５および図１６は、複数個の貼替え用の貼付シート８が固定された貼付シート固定用台紙９を示している。
この貼付シート固定用台紙９は、前記の治療器固定用台紙７と同様の形態のものであり、外形が長方矩形状であり、一方の表面に貼替え用の貼付シート８の粘着面８１が剥離可能に貼設される剥離処理層９０を有している。図示の貼付シート固定用台紙９の剥離処理層９０には１０個の貼替え用の貼付シート８が２列に整列して貼設されている。図示の貼替え用の貼付シート８は、外形がほぼ正方形状であり、粘着面８１の中央に永久磁石粒などの粒状体を付設することができる。
【０００８】
図示の貼付シート固定用台紙９は、各貼付シート８が貼設される領域の中心位置に円形の切込み１０２がそれぞれ形成されている。また、円形の切込み１０２と一方の側端縁９１または９２との間には直線状の切込み１００が幅方向にそれぞれ形成されている。円形の切込み１０２により囲まれた部分１０３は剥離可能であり、この円板状の部分１０３を剥がすと、貼付シート８の粘着面８１の中央部が露出し、その露出部分に粒状体８２を付設することが可能である。
【０００９】
貼替え用の貼付シート８に再使用する粒状体８２を付着させて使用するには、貼付シート固定用台紙９上のいずれかの貼替え用の貼付シート８について、その貼設位置の円板状の部分１０３を剥ぎ取ることにより貼付シート８の粘着面８１の中央部を露出させ、その露出部分に再使用の粒状体８２を付着させる。つぎに、貼付シート固定用台紙９の一方の側端縁９１または９２を摘んで切込み１００に沿って切り離すことにより貼付シート８の周辺部より貼付シート固定用台紙９が剥離され、その後、貼付シート８の周辺部を摘んで貼付シート固定用台紙９の剥離処理層９０より貼付シート８を剥離する。
【発明の開示】
【発明が解決しようとする課題】
【００１０】
上記した構成の貼付シート固定用台紙９では、剥ぎ取り可能な円板状の部分１０３が存在するので、貼付シート固定用台紙９の製作時や取扱時にその円板状の部分１０３が脱落しないように貼付シート固定用台紙９の取扱を慎重に行う必要がある。もし、円板状の部分１０３が脱落すると、貼付シート８の粘着面８１が露出し、その露出部分に塵芥などが付着して粘着性能を著しく低下させる。また、円形の切込み１０２の深さや貼替え用の貼付シート８の粘着面８１の粘着力を調整するなどして、円板状の部分１０３が容易に脱落しないようにすると、貼替え用の貼付シート８を取り出す際、円板状の部分１０３を剥ぎ取りにくくなり、その剥ぎ取り作業に手数がかかるうえに、剥ぎ取られた円板状の部分１０３が周辺に散乱するという不都合もある。
【００１１】
この発明は、上記した問題に着目してなされたもので、剥ぎ取り可能な部分をなくし、それに代わる構成を設けることにより、剥ぎ取り可能な部分の脱落や剥ぎ取りに伴う不都合を解消した貼付シート固定用台紙と、貼付シート固定用台紙と貼替え用の貼付シートとの組み合わせと、貼付シート固定用台紙と芳香貼付シートとの組み合わせとを提供することを目的とする。
【課題を解決するための手段】
【００１２】
この発明による貼付シート固定用台紙は、一方の表面に貼付シートの粘着面が剥離可能に貼設される剥離処理層を有し、前記剥離処理層に複数個の貼付シートを整列して貼設することが可能なように矩形状に形成されて成るものである。各貼付シートの貼設領域には、それぞれの貼設領域を横切りかつ端縁に達する切込みが形成されている。各切込みは、直線状の部分と貼付シートの貼設領域の中心の回りを半周する円弧状の部分とを含み、円弧状の部分は、直線状の部分に沿って折り曲げられたときに切り開かれて起き上がるようになっている。
【００１３】
上記した貼付シート固定用台紙では、従来例における剥ぎ取り可能な円板状の部分のように、剥がれて脱落する部分が存在しないので、この貼付シート固定用台紙に貼付シートが貼設されている場合に、貼付シートの粘着面が不用意に露出するようなことがない。
切込みの直線状の部分に沿って貼付シート固定用台紙を折り曲げると、切込みの円弧状の部分が切り開かれて起き上がるので、起き上がった部分は剥離操作のためのつまみとなる。また、この貼付シート固定用台紙に貼付シートが貼設されている場合に、切込みの円弧状の部分が切り開かれて起き上がることで、貼付シートの粘着面の中央部が露出する。
【００１４】
この発明による貼付シート固定用台紙として、ポリエステルフィルムやポリオレフィンフィルムなどのプラスチックフィルムやクラフト紙などの一方の表面にシリコンコーティングによる剥離処理を施したものが用いられる。前記のシリコンコーティングにより得られた表層のコーティング部分が前記剥離処理層を構成する。
この剥離処理層には、複数個の貼付シートが少なくとも１列、望ましくは２列に整列して貼設される。
【００１５】
この発明の上記した構成において、「切込み」は直線状の部分の延長線が貼付シートの貼付領域の中心もしくは中心の近傍を通るように形成するのが望ましい。
「切込み」は少なくとも一端が貼付シート固定用台紙の端縁に達するように形成されるが、望ましくは、両端が貼付シート固定用台紙の両側端縁に達するように形成する。
【００１６】
上記した構成の貼付シート固定用台紙は、貼付シートの粘着面に粒状体が付設されて成る押圧治療器の貼替え用の貼付シート、シート状の基材の一方の表面に粘着面、他方の表面に芳香成分が封入されたマイクロカプセルを含有する放香層を有する芳香貼付シートなどを固定するのに用いられる。
上記した貼付シート固定用台紙を、粒状体が付設されている押圧治療器を固定するための固定用台紙を兼ねさせることも可能であり、その場合は、前記切込みの円弧状の部分と対称をなす円弧状の第２の切込みを、その両端部が前記切込みの近くまで達するように形成する。
この実施態様の貼付シート固定用台紙を貼替え用の貼付シートを固定する固定用台紙として用いる場合は、円弧状の切込みと円弧状の第２の切込みとが途切れた状態のままで使用する。一方、押圧治療器を固定する固定用台紙として用いる場合は、円弧状の切込みと円弧状の第２の切込みとを連続させて剥離可能な円板状の部分を形成し、その円板状の部分を剥がすことで粒状体を臨ませる窓孔を形成する。
【００１７】
この発明は、上記した円弧状の第２の切込みがない貼付シート固定用台紙および円弧状の第２の切込みが設けられた貼付シート固定用台紙に加えて、それらの台紙の剥離処理層に、貼付シートの粘着面に粒状体が付設されて成る押圧治療器の貼替え用の貼付シートが剥離可能に複数個貼設されて成る貼付シート固定用台紙と貼替え用の貼付シートとの組み合わせを提供するものである。
【００１８】
貼替え用の貼付シートに再使用する粒状体を付着させて使用する場合、切込みの直線状の部分に沿って貼付シート固定用台紙を折り曲げると、切込みの円弧状の部分が切り開かれて起き上がるので、貼付シートの粘着面の中央部が露出する。また、起き上がった部分は剥離操作のためのつまみとなる。このつまみの部分を持って剥離操作すると、粘着面の露出部分がさらに広がり、その露出部分に粒状体を容易に付着させることができる。さらに、つまみの部分を持って剥離操作し、貼付シートのほぼ半分を露出させた後、貼付シートの周辺部を摘んで貼付シート固定用台紙の剥離処理層より貼付シートを剥離する。
【００１９】
この発明の上記した構成において、貼付シートの基材には、布製または合成樹脂製のものが用いられ、基材の一方の表面全体に粘着剤を塗布して粘着面を形成する。基材は、伸縮性がないものであってもよく、縦、横、斜めのいずれの面方向へ伸縮性を有するものであってもよい。伸縮性を有する基材として、縦または横の少なくとも一方向に伸縮性を有するポリウレタン不織布が好適である。貼付シートは平面形状が円形、楕円形、矩形など、その形状や大きさは問わない。
前記粘着剤として、アクリル系粘着剤、合成ゴム系粘着剤、天然ゴム系粘着剤、シリコン系粘着剤などの粘着性基材に粘着付与剤などを添加したものが用いられる。
また、前記の粒状体として、鋼球の他、永久磁石やゲルマニウムなどを用いることができ、球状や短柱状など、粒状体の形状は問わない。
【００２０】
また、この発明は、円弧状の第２の切込みがない貼付シート固定用台紙の剥離処理層に、シート状の基材の一方の表面に粘着面、他方の表面に芳香成分が封入されたマイクロカプセルを含有する放香層を有する芳香貼付部材が剥離可能に複数個貼設されて成る貼付シート固定用台紙と芳香貼付シートとの組み合わせを提供するものである。
【００２１】
貼付シート固定用台紙から芳香貼付シートを取り出す場合、切込みの直線状の部分に沿って貼付シート固定用台紙を折り曲げると、切込みの円弧状の部分が切り開かれて起き上がり、起き上がった部分は剥離操作のためのつまみとなる。このつまみの部分をもって剥離操作し、貼付シートのほぼ半分を露出させた後、貼付シートの周辺部を摘んで貼付シート固定用台紙の剥離処理層より芳香貼付シートを剥離する。
【００２２】
上記した芳香貼付シートは、表面を擦るなどして放香層のマイクロカプセルを破壊させることにより芳香成分より芳香を外部に発散させるようにしたものである。マイクロカプセルは、例えば、ゼラチン、ポリビニルアルコール、エチルセルロース、尿素樹脂、メラニン樹脂など、カプセル化できる材質のものであれば、いずれを使用してもよく、５〜４０μｍ程度の径に形成される。
マイクロカプセルに封入される芳香成分として、種々の植物の花、葉、果実、枝、幹などから得られる芳香・揮発性の油（精油）や香料などが含まれており、１種または２種以上を混合して用いる。例えば、精油として、レモン油、オレンジ油、ユーカリ油、ラベンダー油、ペパーミント油、ゼラニウム油、ローズ油、ローズマリー油、ローズウッド油、カモミール油などがあり、頭痛・肩凝り、冷え症、安眠、虫除けなど、使用目的や用途に応じたものを選択する。
放香層は、芳香成分が封入されたマイクロカプセルが練り込まれた透明なインキを用いて基材の一表面の全体または一部分にシルクスクリーン印刷などを施すことにより形成される。
【発明の効果】
【００２３】
この発明によれば、貼付シート固定用台紙に従来のような脱落する部分が存在しないので、貼付シート固定用台紙の取扱を殊更慎重に行う必要はない。また、脱落する部分の脱落によって貼付シートの粘着面が露出することがないので、露出した粘着面に塵芥などが付着して粘着性能を著しく低下させるおそれもない。さらに、貼付シートを取り出す際に、直線状の部分に沿って折り曲げると、切込みの円弧状の部分が起き上がるので、その部分を摘んで台紙を容易に剥がすことができるので、貼付シートの取出しがきわめて容易となるうえ、従来のように、剥ぎ取った部分が周辺に散乱することもない。
【発明を実施するための最良の形態】
【００２４】
図１〜図３は、この発明の一実施例である貼付シート固定用台紙１を示している。この貼付シート固定用台紙１上には複数個（図示例では１０個）の貼付シート２が１個づつ取り出せるように固定されている。図示の貼付シート２は、図４に示す押圧治療器２３の貼付シート２０の貼替え用として用いられるものである。この押圧治療器２３は、貼付シート２０の粘着面２１に永久磁石粒より成る粒状体２２が付設されたものである。押圧治療器２３の貼付シート２０は１回限りの使用で廃棄されるが、粒状体２２は貼替え用の貼付シート２を用いることで繰り返し使用できる。
【００２５】
この実施例の貼付シート２，２０は、縦横がそれぞれ２３ｍｍの正方形状であり、４個の稜角は面取りされている。貼付シート２，２０の一方の表面は人体の皮膚表面に貼付することが可能な粘着面２１となっている。
貼付シート固定用台紙１は、外形が長方矩形状であり、一方の表面に貼替え用の貼付シート２の粘着面２１が剥離可能に貼設される剥離処理層１０が形成されている。この貼付シート固定用台紙１には１０個の貼替え用の貼付シート２が２列に整列させてそれぞれの粘着面２１が貼設されている。貼付シート２の配列間隔は縦横２５ｍｍであり、隣り合う貼付シート２，２間には２ｍｍの隙間がある。
【００２６】
貼付シート固定用台紙１の各貼付シート２の貼設領域Ｓには、それぞれの貼設領域Ｓを幅方向へ横切る切込み３ａ，３ｂがそれぞれ形成されている。各列の各切込み３ａ，３ｂは、直線状の部分３０と貼付シート２の貼設領域Ｓの中心Ｃの回りを半周する円弧状の部分３１とをそれぞれ含んでいる。直線状の部分３０と円弧状の部分３１とは途切れることなく連続している。各貼付シート２の貼設領域Ｓの中心Ｃは直線状の部分３０の延長線上にある。なお、円弧状の部分３１の形状は真円形状である必要はなく、楕円形状や長円形状などであってもよい。
【００２７】
同じ行で隣り合う２個の貼付シート２，２は、貼付シート固定用台紙１の長さ方向の同じ位置に貼設され、一方、各貼付シート２の貼設領域Ｓ，Ｓを横切る切込み３ａ，３ｂも同じ位置に形成されるので、各列の各切込み３ａ，３ｂは幅中央で連続している。この実施例では、一方の列の各切込み３ａは一方の側端縁１１に達し、他方の列の各切込みｂは他方の側端縁１２に達しているが、例えば、一方の列の各切込み３ａは一方の側端縁１１に達するが、他方の列の各切込み３ｂは他方の側端縁１２の手前で止まるようにしてもよい。
【００２８】
なお、同じ行の２個の貼付シート２，２は、貼付シート固定用台紙１の長さ方向の同じ位置に必ずしも貼設する必要はない。この場合は、各貼付シート２の貼設領域Ｓ，Ｓを横切る切込み３ａ，３ｂは幅中央で段違いの状態となるので、そのまま連続させず途切れさせておいてもよい。
また、この実施例の各切込み３ａ，３ｂは、貼付シート固定用台紙１の各貼付シート２の貼設領域Ｓを幅方向へ横切っているが、これに限らず、各貼付シート２の貼設領域Ｓを長さ方向へ横切るような切込みにすることも可能である。
【００２９】
切込み３ａ，３ｂの円弧状の部分３１は、図６に示すように、直線状の部分３０に沿って貼付シート固定用台紙１が折り曲げられたときに、切り開かれて起き上がるように形成されている。この起き上がった部分は、剥離操作のためのつまみ３２となる。
【００３０】
図５は、押圧治療器２３の固定用台紙５を示している。この固定用台紙５上には複数個（図示例では１０個）の押圧治療器２３が１個づつ取り出せるように固定されている。
この固定用台紙５も、外形が長方矩形状であり、一方の表面に押圧治療器２３の貼付シート２０の粘着面２１が剥離可能に貼設される剥離処理層が形成されている。この固定用台紙５には１０個の押圧治療器２３が２列に整列させてそれぞれの貼付シート２０の粘着面２１が貼設されている。押圧治療器２３の配列間隔は縦横２５ｍｍであり、隣り合う押圧治療器２３，２３間には２ｍｍの隙間がある。
【００３１】
固定用台紙５には、各押圧治療器２３の貼付シート２０の貼設領域Ｓを幅方向へ横切る直線状の切込み３ａ、３ｂがそれぞれ形成されている。各貼付シート２０の貼設領域Ｓの中心位置であって各切込み３ａ，３ｂの長さ中央部には、押圧治療器２３の粒状体２２を臨ませる円形の窓孔３３がそれぞれ開設されている。
各列の各切込み３ａ，３ｂは幅中央で連続し、一方の列の各切込み３ａは一方の側端縁５１に、他方の列の各切込み３ｂは他方の側端縁５２に、それぞれ達している。
【００３２】
上記した貼付シート固定用台紙１と押圧治療器２３の固定用台紙５とは別個のものとして製作されているが、貼付シート固定用台紙１を図８のように構成すれば、押圧治療器２３の固定用台紙を兼ねさせることができる。
図８に示す貼付シート固定用台紙１は、切込み３ａ，３ｂの円弧状の部分３１と対称をなす円弧状の第２の切込み４が、その両端部が前記切込み３ａ，３ｂの近くまで達するように形成されたものである。第２の切込み４の両端部と各切込み３ａ，３ｂとは途切れて連続していないが、各途切れ部分４０は、第２の切込み４と各切込み３ａ，３ｂとを１ｍｍ以下のわずかな寸法に設定するのが望ましい。
【００３３】
図８の貼付シート固定用台紙１において、各途切れ部分４０を寸断すれば、第２の切込み４の両端部と各切込み３ａ，３ｂとで囲まれる円板状の部分３４を剥がすことが可能となり、押圧治療器２３の粒状体２２を臨ませる窓孔を形成し得、押圧治療器２３の固定用台紙として使用することができる。
各途切れ部分４０を寸断しなければ、貼付シート固定用台紙１として使用することができ、直線状の部分３０に沿って貼付シート固定用台紙１を折り曲げることで、円弧状の部分３１が切り開かれて起き上がり、この起き上がった部分を剥離操作のためのつまみ３２として用いることができる。
【００３４】
図９は、押圧治療器２３の固定用台紙を兼ねることが可能な他の実施例を示している。
図示例の貼付シート固定用台紙１は、切込み３ａ，３ｂの直線状の部分３０の位置を後退させて円弧状の部分３１を長円形状としたものである。この実施例の貼付シート固定用台紙１では、図１０に示すように、切込み３ａ，３ｂの円弧状の部分３１のみをめくり上げることで押圧治療器２３の粒状体２２を臨ませる窓孔３３が形成できるので、押圧治療器２３の固定用台紙としての使用が可能である。
貼替え用の貼付シート２を固定する貼付シート固定用台紙１として使用する場合は、直線状の部分３０に沿って貼付シート固定用台紙１を折り曲げることで、円弧状の部分３１が切り開かれて起き上がり、この起き上がった部分を剥離操作のためのつまみ３２として用いることができる。
【００３５】
図１１および図１２は、貼付シート固定用台紙の他の実施例を示している。この実施例の固定用台紙１上には複数個（図示例では５個）の芳香貼付シート６が１個づつ取り出せるように固定されている。
この芳香貼付シート６は、縦横がそれぞれ２３ｍｍの正方形状であり、４個の稜角は面取りされている。この芳香貼付シート６は、シート状の基材６０の一表面に放香層６２が形成され、他表面は粘着面６１になっている。粘着面６１は、ポリウレタン不織布との接着性が良好なアクリル系粘着剤を粘着性基剤としたものを用いて形成されている。
基材６０は、面に沿う方向であって縦または横の少なくとも一方向に伸縮性を有するポリウレタン不織布をもって構成されている。
【００３６】
放香層６２は、芳香成分が封入されたマイクロカプセルを含有するもので、基材６０の伸縮力をもってマイクロカプセルが破壊することで前記芳香成分より芳香が外部に発散する。なお、マイクロカプセルは放香層６２を擦るなどして外部より力を作用させても容易に破壊するものである。この実施例の芳香貼付シート６は、頭痛、肩凝りを軽快する目的のもので、それらの症状に有効なペパーミントやローズマリーなどが芳香成分として用いられている。芳香成分は、頭痛、肩凝り対策の他に、花粉症の鼻づまり対策、冷え性のむくみ対策、防虫対策、生理痛や更年期障害の対策、風邪の予防、便秘対策、安眠対策など、目的に応じて１種または２種以上が選択して用いられる。
放香層３は、芳香成分が封入されたマイクロカプセルが練り込まれた透明なインキを用いて基材２の一表面にシルクスクリーン印刷を施すことにより形成されている。
【００３７】
図１１の芳香貼付シート固定用台紙１も、外形が長方矩形状であり、一方の表面に芳香貼付シート６の粘着面６１が剥離可能に貼設される剥離処理層１０が形成されている。この固定用台紙１には５個の芳香貼付シート６を１列に整列させてそれぞれの粘着面６１が貼設されている。芳香貼付シート６の配列間隔は縦横２５ｍｍであり、芳香貼付シート６，６間には２ｍｍの隙間がある。
【００３８】
貼付シート固定用台紙１の各芳香貼付シート６の貼設領域Ｓには、それぞれの貼設領域Ｓを幅方向へ横切る切込み３がそれぞれ形成されている。各切込み３は、直線状の部分３０と貼付シート２の貼設領域Ｓの中心Ｃの回りを半周する円弧状の部分３１とをそれぞれ含んでいる。直線状の部分３０と円弧状の部分３１とは途切れることなく連続している。各貼付シート２の貼設領域Ｓの中心Ｃは直線状の部分３０の延長線上にある。
各切込み３の両端は両方の側端縁１１，１２に達しているが、例えば、一端は一方の側端縁１１に達するが、他端は他方の側端縁１２に達しないようにしてその手前で止まるようにしてもよい。
この実施例の各切込み３は、貼付シート固定用台紙１の各貼付シート６の貼設領域Ｓを幅方向へ横切っているが、これに限らず、各貼付シート６の貼設領域Ｓを長さ方向へ横切るような一連の切込みにすることも可能である。
【００３９】
切込み３の円弧状の部分３１は、直線状の部分３０に沿って貼付シート固定用台紙１が折り曲げられたときに、切り開かれて起き上がるようになっている。この起き上がった部分は、剥離操作のためのつまみ３２となる。
【００４０】
図１〜図３に示した貼付シート固定用台紙１に固定された貼替え用の貼付シート２に押圧治療器２３における再使用の粒状体２２を付着させて取り出すには、図６に示すように、貼付シート固定用台紙１の切込み３ａまたは３ｂの直線状の部分３０に沿って貼付シート固定用台紙１を折り曲げる。これにより切込み３ａ，３ｂの円弧状の部分３１が切り開かれて起き上がるので、貼付シート２の粘着面２１の中央部が露出し、また、起き上がった部分は剥離操作のためのつまみ３２となる。取り出そうとする貼付シート２の部分のつまみ３２を把持し、図７に示すように、めくり上げるようにして剥離操作すると、粘着面２１の露出部分がさらに拡大し、その露出部分に粒状体２２を容易に付着させることができる。さらに、つまみ３２を把持して同様の剥離操作を行うと、貼付シート２のほぼ半分が露出し、その後、その貼付シート２の周辺部を摘んで貼付シート固定用台紙１の剥離処理層１１より貼付シート２を剥離する。
【００４１】
図８、図９、および図１１の各実施例についても同様の手順を実行することにより、貼替え用の貼付シート２や芳香貼付シート６を固定用台紙１より取り出すことができる。
押圧治療器２３は、粒状体２２をこり発生部位などの患部に位置決めして貼付シート２，２０により固定することで、粒状体２２による押圧力と磁力線とを患部に継続して作用させることができる。
【００４２】
芳香貼付シート６を人体の皮膚表面に貼付した場合は、身体を動かさない限りは、筋肉は伸縮しないので、基材６０も伸縮せず、放香層６２になんら物理的な力は作用しない。したがって、マイクロカプセルは破壊されず、芳香は外部に発散しない。身体を動かし、芳香貼付部材６の貼付部位の筋肉が伸縮すると、基材６０も面方向へ伸縮し、その伸縮力が放香層６２に作用すると、マイクロカプセルが破壊されて芳香成分より芳香が外部に発散し、それが鼻より吸引されることにより頭痛や肩凝りが軽快する。
【図面の簡単な説明】
【００４３】
【図１】この発明の一実施例である貼付シート固定用台紙に複数個の貼替え用の貼付シートが固定された状態を示す平面図である。
【図２】図１の実施例の底面図である。
【図３】図１のＡ−Ａ線に沿う断面図である。
【図４】押圧治療器の縦断面図である。
【図５】押圧治療器の固定用台紙に複数個の押圧治療器が固定された状態を示す平面図である。
【図６】貼付シートの剥離操作の手順を示す斜視図である。
【図７】貼付シートの剥離操作の手順を示す斜視図である。
【図８】この発明の他の実施例である貼付シート固定用台紙に複数個の貼付シートが固定された状態を示す平面図である。
【図９】この発明のさらに他の実施例である貼付シート固定用台紙に複数個の貼付シートが固定された状態を部分的に示す平面図である。
【図１０】図９の実施例の貼付シート固定用台紙を押圧治療器の固定用台紙に用いた状態を示す縦断面図である。
【図１１】この発明の他の実施例である貼付シート固定用台紙に複数個の芳香貼付シートが固定された状態を示す平面図である。
【図１２】図１１のＢ−Ｂ線に沿う断面図である。
【図１３】従来の押圧治療器の固定用台紙に複数個の押圧治療器が固定された状態を示す平面図である。
【図１４】図１３のＣ−Ｃ線に沿う断面図である。
【図１５】従来の貼付シート固定用台紙に複数個の貼替え用の貼付シートが固定された状態を示す一部を破断した平面図である。
【図１６】図１５の従来例の底面図である。
【符号の説明】
【００４４】
１    貼付シート固定用台紙
２    貼替え用の貼付シート
３，３ａ，３ｂ  切込み
６    芳香貼付シート
１０  剥離処理層
２１  粘着面
２２  粒状体
２３  押圧治療器
３０  直線状の部分
３１  円弧状の部分
６０  基材
６１  粘着面
６２  放香層
【図１】
2009273624.tif 000003
【図２】
2009273624.tif 000004
【図３】
2009273624.tif 000005
【図４】
2009273624.tif 000006
【図５】
2009273624.tif 000007
【図６】
2009273624.tif 000008
【図７】
2009273624.tif 000009
【図８】
2009273624.tif 000010
【図９】
2009273624.tif 000011
【図１０】
2009273624.tif 000012
【図１１】
2009273624.tif 000013
【図１２】
2009273624.tif 000014
【図１３】
2009273624.tif 000015
【図１４】
2009273624.tif 000016
【図１５】
2009273624.tif 000017
【図１６】
2009273624.tif 000018